(57)【要約】【課題】組み付け作業性がよく発光体への安定した電力供給が可能な指示装置を提供する。【解決手段】メータ文字板２（装飾板に相当）と、そのメータ文字板２の裏面側に設けられるメータ基板３（装置基板に相当）、ムーブメント４、及び一次側給電手段５と、メータ文字板２の表面側に設けられる自発光型指示部材６及び二次側給電手段７とを備えて指示装置の一例であるブラックフェイス形計器装置１を構成する。一次側給電手段５は一次コイル１３を備え、自発光型指示部材６は指針１９と指針部ＬＥＤ２０（発光体に相当）とを備え、二次側給電手段７は二次コイル２５を備える。このような構成において、一次コイル１３と二次コイル２５との間に相互誘導作用を生じさせて自発光型指示部材６を発光させるための給電を行う。【選択図】    図１
2004271418.tif 000002
【特許請求の範囲】
【請求項１】
回動軸の周囲に一次コイルを設けるとともに、前記回動軸の先端部には発光体及び該発光体に接続される二次コイルを備えた指示部材を設け、前記一次コイルと前記二次コイルとの間に相互誘導作用を生じさせると前記発光体への給電がなされて前記指示部材自身が恰も発光する構成とした
ことを特徴とする指示装置。
【請求項２】
回動軸の先端部に取り付けられ且つ前記回動軸の周囲に配置された給電手段により給電されて発光する自発光型指示部材を備えた指示装置であって、
前記給電手段は、前記回動軸の基端部側の部材に固定される一次コイルと、該一次コイルに対向若しくは重なり合う配置となるように前記自発光型指示部材に固定される二次コイルとを有するとともに、これら前記一次コイルと前記二次コイルの相互誘導作用により前記自発光型指示部材を発光させるための給電が行える構成とした
ことを特徴とする指示装置。
【請求項３】
貫通孔を有する装飾板と、
該装飾板の裏面側に所定の間隔を開けて配置される装置基板と、
前記装飾板の前記裏面及び前記装置基板の表面間に配置されるとともに、一次コイルを含んで構成される一次側給電手段と、
前記装置基板及び前記一次コイルを貫通し前記装飾板に向けて突出する回動軸を有するとともに、前記装置基板の裏面に固定されるムーブメントと、
発光体を有するとともに、前記回動軸の先端部に固定される自発光型指示部材と、
前記一次コイルに対向若しくは重なり合う配置となる二次コイルを含んで構成されるとともに、前記発光体に接続され且つ前記自発光型指示部材に固定される二次側給電手段と、
を備えて構成した
ことを特徴とする指示装置。
【請求項４】
請求項１ないし請求項３いずれか記載の指示装置において、
前記二次コイル側をコアなしの空芯構造とした
ことを特徴とする指示装置。
【発明の詳細な説明】
【０００１  】
【発明の属する技術分野】
本発明は、指示部材が発光する指示装置に関する。
【０００２  】
【従来の技術】
この種の指示装置としては、車両や船舶等の移動体に備えられる計器装置が一例に挙げられる。以下、図１０を参照しながら車両の計器装置の構成及び構造を説明する（例えば特許文献１参照）。
【０００３  】
図１０において、引用符号１０１は指針を示している。その指針１０１は、後部平坦部分に指針座１０１ｂを有している。指針座１０１ｂには、バルブ１０２が装着されており、バルブ１０２の上には、光不透過性のカバー１０７が被せられている。カバー１０７に設けられた隙間からは、バルブ１０２のリード線１０４ａ、１０４ｂが下方に導出されている。リード線１０４ａ、１０４ｂの先端部は、Ｕ字状に曲げられて互いに平行に配置されている。また、表面が導電性を有するように形成されている。
【０００４  】
ムーブメント１１７は、回動軸１１７ａを有しており、その回動軸１１７ａには、絶縁材料からなる円筒状の継手１０５が圧入嵌合されている。継手１０５の両側側面には、継手１０５の上下方向（軸方向）に沿う導電性ターミナル１０６ａ、１０６ｂが取り付けられ、そして固定されている。その導電性ターミナル１０６ａ、１０６ｂは、下端部１０６ａ−２、１０６ｂ−２がコ字状に跳ね上げられた形状に形成されている。また、上端部１０６ａ−１、１０６ｂ−１は、弾性を有しており、断面が山形形状となるように、且つ外方に反った形状となるように形成されている。
【０００５  】
導電性ターミナル１０６ａ、１０６ｂが取り付け固定された継手１０５の外側には、その継手１０５の中心と略同心状にヒゲゼンマイ１１４ａ、１１４ｂが配置されている。ヒゲゼンマイ１１４ａ、１１４ｂの内側の一端は、それぞれ導電性ターミナル１０６ａ、１０６ｂの下端部１０６ａ−２、１０６ｂ−２に固着されている。また、ヒゲゼンマイ１１４ａ、１１４ｂの外側の一端は、それぞれムーブメント１１７に絶縁状態で取り付けられた給電端子１１６ａ、１１６ｂに固着されている。
【０００６  】
上記構成及び構造に基づいて計器装置の組み付け等を説明する。ムーブメント１１７に所定の電気信号を入力すると、その入力信号値に応じてムーブメント１１７の回動軸１１７ａ及び継手１０５等が所定位置まで回動する。そして、指針１０１を図示しない文字板の所定文字目盛り等のところを指示させて、指針軸１０１ａを継手１０５の中心部に設けられた穴１０５ａに圧入する。すると、指針１０１に装着されているバルブ１０２のリード線１０４ａ、１０４ｂのＵ字状の先端部が継手１０５の側面に取り付け固定されている導電性ターミナル１０６ａ、１０６ｂの上端部１０６ａ−１、１０６ｂ−１に弾性的に当接する。
【０００７  】
給電端子１１６ａ、１１６ｂに電圧が印加されると、ヒゲゼンマイ１１４ａ、１１４ｂ、導電性ターミナル１０６ａ、１０６ｂ、及びリード線１０４ａ、１０４ｂを介してバルブ１０２への給電が行われる。そして、バルブ１０２が点灯すると指針１０１が光輝する。
【０００８  】
【特許文献１】
実開平５−７９４３６号公報  （第５−６頁、第１図）
【０００９  】
【発明が解決しようとする課題】
ところで、上記従来技術にあっては、ヒゲゼンマイ１１４ａ、１１４ｂ等を用いてバルブ１０２への給電を行っていることから、ヒゲゼンマイ１１４ａ、１１４ｂを組み付ける際に回動軸１１７ａの回転動作トルクへの影響などを調整する必要があり、作業が繁雑になるという問題点を有している。また、指針１０１を組み付ける際に電気的な接続があることから、この場合に関しても作業が繁雑になるという問題点を有している。その他、回動軸１１７ａの回動に伴ってヒゲゼンマイ１１４ａ、１１４ｂが動くことから断線の恐れがあって、安定した電力供給を望むには不十分であるという問題点を有している。
【００１０  】
本発明は、上述した事情に鑑みてなされるもので、組み付け作業性がよく発光体への安定した電力供給が可能な指示装置を提供することを課題とする。
【００１１  】
【課題を解決するための手段】
上記課題を解決するためなされた請求項１記載の本発明の指示装置は、回動軸の周囲に一次コイルを設けるとともに、前記回動軸の先端部には発光体及び該発光体に接続される二次コイルを備えた指示部材を設け、前記一次コイルと前記二次コイルとの間に相互誘導作用を生じさせると前記発光体への給電がなされて前記指示部材自身が恰も発光する構成としたことを特徴としている。
【００１２  】
請求項２記載の本発明の指示装置は、回動軸の先端部に取り付けられ且つ前記回動軸の周囲に配置された給電手段により給電されて発光する自発光型指示部材を備えた指示装置であって、前記給電手段は、前記回動軸の基端部側の部材に固定される一次コイルと、該一次コイルに対向若しくは重なり合う配置となるように前記自発光型指示部材に固定される二次コイルとを有するとともに、これら前記一次コイルと前記二次コイルの相互誘導作用により前記自発光型指示部材を発光させるための給電が行える構成としたことを特徴としている。
【００１３  】
請求項３記載の本発明の指示装置は、貫通孔を有する装飾板と、該装飾板の裏面側に所定の間隔を開けて配置される装置基板と、前記装飾板の前記裏面及び前記装置基板の表面間に配置されるとともに、一次コイルを含んで構成される一次側給電手段と、前記装置基板及び前記一次コイルを貫通し前記装飾板に向けて突出する回動軸を有するとともに、前記装置基板の裏面に固定されるムーブメントと、発光体を有するとともに、前記回動軸の先端部に固定される自発光型指示部材と、前記一次コイルに対向若しくは重なり合う配置となる二次コイルを含んで構成されるとともに、前記発光体に接続され且つ前記自発光型指示部材に固定される二次側給電手段と、を備えて構成したことを特徴としている。
【００１４  】
請求項４記載の本発明の指示装置は、請求項１ないし請求項３いずれか記載の指示装置において、前記二次コイル側をコアなしの空芯構造としたことを特徴としている。
【００１５  】
請求項１、２、３に記載された本発明によれば、回動軸の動きに関係なく発光体への給電が行われる。すなわち、相互誘導作用を利用して発光体への給電が行われる。相互誘導作用を利用することによって無接点での給電が可能になり、回動軸に係る影響が低減されるとともに、組み付けがし易くなる。請求項４に記載された本発明によれば、空芯構造によって指示部材側の重量が軽くなり、回動軸に係る影響が一層低減される。
【００１６  】
【発明の実施の形態】
以下、図面を参照して本発明の実施の形態を説明する。
図１は本発明の指示装置の一実施の形態を示す構成説明図である。また、図２は図１の指示装置の回路説明図である。
【００１７  】
図１及び図２において、引用符号１は車両に備えられるブラックフェイス形計器装置を示している。そのブラックフェイス形計器装置１は、本発明の指示装置の一例であって、次のような機能を有している。すなわち、イグニッション（ＩＧＮ）キースイッチがオフの時に計器装置表面は何もない黒色に視認されるようになっており、イグニッションキースイッチがオンされると計器装置内の発光体が発光して計器装置表面及び指針を黒色透明カバーを通じて視認させることができるようになっている。以下、このようなブラックフェイス形計器装置１のスピードメータ（タコメータ等でもよい）部分について説明する。
【００１８  】
尚、以下の説明は要部のみの説明であるものとし、図面は概略的なものを用いて説明する。また、図示しない部分の構成及び構造は既知のものと同様であるものとする。
【００１９  】
本発明の指示装置の一例であるブラックフェイス形計器装置１は、メータ文字板２（特許請求の範囲に記載した装飾板に相当）と、そのメータ文字板２の裏面側に設けられるメータ基板３（特許請求の範囲に記載した装置基板に相当）、ムーブメント４、及び一次側給電手段５と、メータ文字板２の表面側に設けられる自発光型指示部材６及び二次側給電手段７とを備えて構成されている。
【００２０  】
メータ文字板２は、適宜大きさの貫通孔８を有しており、その貫通孔８を中心にしてメータ文字板２の表面には、速度指示目盛りが設けられている。このようなメータ文字板２の裏面側には、所定の間隔をあけてメータ基板３が対向配置されている。メータ基板３には、ムーブメント４が電気的に接続されるとともに固定されている。
【００２１  】
ムーブメント４は、本形態において、信号に応じた角度に回動するステッピングモータが用いられている（これに限定するものではない）。このようなムーブメント４は、メータ文字板２の貫通孔８に対応する位置に固定されている。ムーブメント４の回動軸９は、貫通孔８を貫通してメータ文字板２の表面側に突出するような長さに形成されている。
【００２２  】
一次側給電手段５は、基板１０と一次駆動回路部品１１と磁性部材１２と一次コイル１３とを備えて構成されている。また、このような構成の一次側給電手段５は、メータ文字板２の裏面及びメータ基板３の表面間に配置されている。
【００２３  】
基板１０は、図示しない支柱及び支柱兼用の電極１４、１４を用いてムーブメント４の上面側に配置されている。基板１０の裏面、すなわちムーブメント４に対向する面には、一次駆動回路部品１１が電気的に接続されるとともに固定されている。一次駆動回路部品１１には、発振制御部１５等が設けられている。その発振制御部１５は、基板１０やメータ基板３等を介して電源に接続されている。
【００２４  】
磁性部材１２は、フェライト等の磁性材料により形成されている。また、磁性部材１２は、基板１０の表面に固定されている。磁性部材１２には、円筒部１６と環状のコイル収納部１７とが形成されている。
【００２５  】
円筒部１６は、その先端部がメータ文字板２の貫通孔８を貫通してメータ文字板２の表面側に突出するように縦長に形成されている。このような円筒部１６には、基板１０を貫通してムーブメント４の回動軸９が回動自在の状態で挿通されるようになっている。コイル収納部１７は、円筒部１６の基端部に連成されている。コイル収納部１７には、一次コイル１３が収納されている。
【００２６  】
一次コイル１３は、コイルボビンに固定された状態でコイル収納部１７に収納されている。また、一次コイル１３は、コイルボビンを介して例えば接着剤等でコイル収納部１７に固定されている。一次コイル１３から導出されたリード線１８、１８は、基板１０に電気的に接続されている。
【００２７  】
自発光型指示部材６は、指針１９と指針部ＬＥＤ２０（特許請求の範囲に記載した発光体に相当）とを備えて構成されている。指針１９は、錐状の指示部２１とその指示部２１に直交するように連成される指針軸２２とを有している。指示部２１の後端側には、指針部ＬＥＤ２０が取り付けられている。指示部２１には、特に図示しないが、指針部ＬＥＤ２０の発光により光が導光されて光輝する部分と、そうでない部分とが形成されている。指針部ＬＥＤ２０は、既知のＬＥＤ（従来例のバルブでもよい）であって、二次側給電手段７に電気的に接続されている。
【００２８  】
二次側給電手段７は、整流平滑回路２３を有する基板２４と、その基板２４に固定される二次コイル２５とを備えて構成されている。また、このような構成の二次側給電手段７は、自発光型指示部材６に固定されている。整流平滑回路２３は、基板２４の表面側に設けられており、その下流に指針部ＬＥＤ２０が接続されている。二次コイル２５は、コイルボビンに固定された状態で基板２４の裏面側に固定されている。また、二次コイル２５は、整流平滑回路２３の上流に接続されている。このような二次コイル２５は、一次コイル１３に対向するように配置されている。
【００２９  】
尚、二次側給電手段７は、軽量化を図るためにコア（磁性部材）なしの空芯構造になっている。一次コイル１３及び二次コイル２５は、指針部ＬＥＤ２０に適した電圧となるようにその巻数が適宜設定されている。
【００３０  】
上記構成及び構造に基づいて、上記スピードメータ部分の組み付け等を説明する。
【００３１  】
先ず、メータ基板３にムーブメント４を配置固定するとともに、ムーブメント４を覆うように一次側給電手段５を配置固定する。一次側給電手段５は、予め別工程で組み付けられるものとする。次に、メータ文字板２の裏面側にメータ基板３を配置固定するとともに、円筒部１６の先端部を貫通孔８を介してメータ文字板２の表面側に突出させる。続いて、ムーブメント４に所定の電気信号を入力して回動軸９を所定位置まで回動させ、その上で予め別工程で二次側給電手段７を組み付けた自発光型指示部材６をムーブメント４の回動軸９に取り付ける。
【００３２  】
以上によりスピードメータ部分の組み付けが完了する。尚、自発光型指示部材６をムーブメント４の回動軸９に取り付ける際、電気的な接続が無接点となる状態で行われる。その後、相対向する一次コイル１３と二次コイル２５との間に相互誘導作用を生じさせて指針部ＬＥＤ２０への給電を行うと、指針部ＬＥＤ２０がその給電によって発光し、これに伴って指針１９が光輝する。
【００３３  】
本発明の指示装置の一例であるブラックフェイス形計器装置１によれば、自発光型指示部材６が速度センサからの電気信号に応じて回動しても、指針部ＬＥＤ２０への給電を最適な電源条件で且つ安定して行うことができる。また、回動軸９のトルクへの影響を従来と比べて低減することができる。さらに、組み付けを従来と比べて容易にすることができる。
【００３４  】
次に、図３を参照しながら図１のブラックフェイス形計器装置１に対してコイルの配置を変えた第一の例を説明する。図３はその説明図である。
【００３５  】
図３の磁性部材１２は、円筒状に形成されており、その上端側が円筒部１６、下端側がコイル収納部１７になっている。コイル収納部１７に固定される一次コイル１３は、二次コイル２５に対向するように配置されている。このような一次側給電手段５を備え、且つ他の部分は上述と同じ構成のブラックフェイス形計器装置１は、当然に上述同様の効果を奏する。
【００３６  】
続いて、図４を参照しながら図１のブラックフェイス形計器装置１に対してコイルの配置を変えた第二の例を説明する。図４はその説明図である。
【００３７  】
図４の磁性部材１２は、円筒状に形成されており、その全体が円筒部１６及びコイル収納部１７になっている。このような磁性部材１２に固定される一次コイル１３は、磁性部材１２とともにその一部がメータ文字板２の表面側に突出するように縦長に形成されている。一方、二次コイル２５は、図示の如く、一次コイル１３に対して重なり合うように配置されている。このような一次側給電手段５及び二次側給電手段７を備え、且つ他の部分は上述と同じ構成のブラックフェイス形計器装置１は、当然に上述同様の効果を奏する。
【００３８  】
続いて更に、図５及び図６を参照しながら本発明による指示装置の他の一実施の形態を説明する。図５は構成説明図であり、図６は回路説明図である。尚、本発明の指示装置として、ブラックフェイス形計器装置を一例に挙げて説明する。上述の構成と基本的に同じ部材に対しては同一の符号を付してその詳細な説明を省略する。
【００３９  】
図５及び図６において、ブラックフェイス形計器装置３１は、メータ文字板２と、そのメータ文字板２の裏面側に設けられるメータ基板３、ムーブメント４、及び一次側給電手段５と、メータ文字板２の表面側に設けられる自発光型指示部材３２及び二次側給電手段３３とを備えて構成されている（メータ文字板２の裏面側の構成は上述のブラックフェイス形計器装置１と基本的に同じであるものとする）。
【００４０  】
自発光型指示部材３２は、指針３４と指針部ＥＬ３５（特許請求の範囲に記載した発光体に相当）とを備えて構成されている。指針３４は、錐状の指示部３６とその指示部３６に直交するように連成される指針軸３７とを有しており、指示部３６の長手方向に沿って指針部ＥＬ３５が設けられている。指示部３６には、特に図示しないが、指針部ＥＬ３５の発光により光輝する部分と、そうでない部分とが形成されている。指針部ＥＬ３５は、既知のＥＬ（特殊な絶縁物と蛍光体とを粉末にして混合し誘電体板をつくったものであり、交流電圧を加えるとその誘電体板の全体が発光するもの）であって、二次側給電手段３３に電気的に接続されている。
【００４１  】
二次側給電手段３３は、指針軸３７に固定される基板３８と、その基板３８に固定される二次コイル２５とを備えて構成されている。二次コイル２５は、コイルボビンに固定された状態で基板３８の裏面側に固定されている。二次コイル２５から導出されたリード線３９、３９は、指針部ＥＬ３５に電気的に接続されている。二次コイル２５は、一次コイル１３に対向するように配置されている。
【００４２  】
尚、二次側給電手段３３は、軽量化を図るためにコア（磁性部材）なしの空芯構造になっている。一次コイル１３及び二次コイル２５は、指針部ＥＬ３５に適した電圧となるようにその巻数が適宜設定されている。
【００４３  】
上記構成及び構造に基づいて組み付け等を説明する。先ず、メータ基板３にムーブメント４を配置固定するとともに、ムーブメント４を覆うように一次側給電手段５を配置固定する。次に、メータ文字板２の裏面側にメータ基板３を配置固定するとともに、円筒部１６の先端部をメータ文字板２の表面側に突出させる。続いて、ムーブメント４に所定の電気信号を入力して回動軸９を所定位置まで回動させ、その上で予め別工程で二次側給電手段３３を組み付けた自発光型指示部材３２をムーブメント４の回動軸９に、電気的な接続が無接点となる状態で取り付ける。
【００４４  】
以上により組み付けが完了する。その後、相対向する一次コイル１３と二次コイル２５との間に相互誘導作用を生じさせて指針部ＥＬ３５への給電を行うと、指針部ＥＬ３５がその給電によって発光し、これに伴って指針３４が光輝する。
【００４５  】
本発明の指示装置の他の一例であるブラックフェイス形計器装置３１によれば、自発光型指示部材３２が速度センサからの電気信号に応じて回動しても、指針部ＥＬ３５への給電を最適な電源条件で且つ安定して行うことができる。また、回動軸９のトルクへの影響を従来と比べて低減することができる。さらに、組み付けを従来と比べて容易にすることができる。さらにまた、自発光型指示部材３２自体の重量を、上述の自発光型指示部材６（図１参照）よりも軽量化することができる（回動軸９のトルクへの影響を一層低減することができる）。
【００４６  】
続いて更に、図７ないし図９を参照しながら本発明による指示装置の組み付けを説明する。図７は第一の工程の説明図、図８は第二の工程の説明図、図９は第三の工程の説明図である。
【００４７  】
組み付けの前に構成を簡単に説明する。図７において、引用符号４１は本発明に係る指示装置を示している。その指示装置４１は、車両の計器装置や暗所において指示位置を確認することが可能な例えば目覚まし時計等であって、装飾板４２と、その装飾板４２の裏面側に設けられる装置基板４３、ムーブメント４４、及び一次側給電手段４５と、装飾板４２の表面側に設けられる自発光型指示部材４６及び二次側給電手段４７とを備えて構成されている。
【００４８  】
ムーブメント４４は、装置基板４３の裏面側に設けられており、一次側給電手段４５は、一次駆動回路部品４８と磁性部材４９と一次コイル５０とを備えて構成されている。また、一次側給電手段４５は、装置基板４３の表面に取り付けられている。自発光型指示部材４６は、指針５１と発光体（例えばＬＥＤ）５２とを備えて構成されており、その発光体５２は、二次側給電手段４７に電気的に接続されている。二次側給電手段４７は、整流平滑回路５３を有する基板５４と、その基板５４に固定される二次コイル５５とを備えて構成されている。二次側給電手段４７における引用符号５６は、ムーブメント４４の回動軸５７の先端部に固定される固定部材を示している。
【００４９  】
このような構成の指示装置４１は、次のように組み付けられる。すなわち、図８に示されるように、先ず、装置基板４３の裏面にムーブメント４４を配置固定するとともに、装置基板４３を貫通したムーブメント４４の回動軸５７の周囲に、磁性部材４９に固定された一次コイル５０を配置する。装置基板４３の表面側には、一次駆動回路部品４８も配置固定する。
【００５０  】
次に、装飾板４２の裏面側に装置基板４３を配置して装飾板４２の貫通孔５８から一次側給電手段４５を臨むようにする。続いて、ムーブメント４４に所定の電気信号を入力して回動軸５７を所定位置まで回動させ、その上で予め別工程で二次側給電手段４７を組み付けた自発光型指示部材４６を、図９に示される如く二次側給電手段４７を介してムーブメント４４の回動軸５７に取り付ける。
【００５１  】
以上により指示装置４１の組み付けが完了する。その後、相対向する一次コイル５０と二次コイル５５との間に相互誘導作用を生じさせて発光体５２への給電を行うと、発光体５２がその給電によって発光し、これに伴って指針５１が光輝する。
【００５２  】
指示装置４１の組み付けによれば、ムーブメント４４が装置基板４３の裏面側に設けられることから、装飾板４２と装置基板４３との間の間隔が狭められるとともに、組み付けをより容易にすることができるという利点を有している。これは上述のブラックフェイス形計器装置１及び３１に適用することができるものとする。
【００５３  】
その他、本発明は本発明の主旨を変えない範囲で種々変更実施可能なことは勿論である。尚、本発明に係る指示装置は、上述の車両の計器装置や目覚まし時計に限るものではなく、例えば暗所において指示位置を確認する必要があるものであれば特に限定されないものとする。
【００５４  】
【発明の効果】
以上説明したように、請求項１、２、３に記載された本発明によれば、組み付け作業性がよく発光体への安定した電力供給が可能な指示装置を提供することができるという効果をそれぞれ奏する。
【００５５  】
請求項４に記載された本発明によれば、指示部材側の重量を軽くして回動軸に係る影響を一層低減することができるという効果をそれぞれ奏する。
【図面の簡単な説明】
【図１】本発明による指示装置の一実施の形態を示す構成説明図である。
【図２】図１の指示装置の回路説明図である。
【図３】図１に対してコイルの配置を変えた第一の例の説明図である。
【図４】図１に対してコイルの配置を変えた第二の例の説明図である。
【図５】本発明による指示装置の他の一実施の形態を示す構成説明図である。
【図６】図５の指示装置の回路説明図である。
【図７】指示装置の組み付けを説明するための第一の工程の説明図である。
【図８】指示装置の組み付けを説明するための第二の工程の説明図である。
【図９】指示装置の組み付けを説明するための第三の工程の説明図である。
【図１０】従来例の指示装置の分解斜視図である。
【符号の説明】
１  ブラックフェイス形計器装置（指示装置）
２  メータ文字板（装飾板）
３  メータ基板（装置基板）
４  ムーブメント
５  一次側給電手段
６  自発光型指示部材（指示部材）
７  二次側給電手段
８  貫通孔
９  回動軸
１３  一次コイル
２０  指針部ＬＥＤ（発光体）
２５  二次コイル
３１  ブラックフェイス形計器装置（指示装置）
３２  自発光型指示部材（指示部材）
３３  二次側給電手段
３５  指針部ＥＬ（発光体）
４１  指示装置
４２  装飾板
４３  装置基板
４４  ムーブメント
４５  一次側給電手段
４６  自発光型指示部材（指示部材）
４７  二次側給電手段
５０  一次コイル
５２  発光体
５５  二次コイル
５７  回動軸
５８  貫通孔
【図１】
2004271418.tif 000003
【図２】
2004271418.tif 000004
【図３】
2004271418.tif 000005
【図４】
2004271418.tif 000006
【図５】
2004271418.tif 000007
【図６】
2004271418.tif 000008
【図７】
2004271418.tif 000009
【図８】
2004271418.tif 000010
【図９】
2004271418.tif 000011
【図１０】
2004271418.tif 000012